(57)【要約】【課題】コストがかからず、誤検出の生じない駐車場管理システムを提供する。【解決手段】複数の駐車スペースを有する駐車場を管理する駐車場管理システムは、駐車スペースに設けられたＲＦＩＤタグ１０Ａ〜１０Ｃと、ＲＦＩＤタグ１０Ａ〜１０Ｃと交信するリーダ２０と、リーダ２０とＲＦＩＤタグ１０Ａ〜１０Ｃとの交信結果に基づいて駐車場の管理を行う。【選択図】図１
2008276516.tif 000002
【特許請求の範囲】
【請求項１】
複数の駐車スペースを有する駐車場を管理する駐車場管理システムであって、
前記駐車スペースに設けられたＲＦＩＤタグと、
前記ＲＦＩＤタグと交信するリーダと、
前記リーダと前記ＲＦＩＤタグとの交信結果に基づいて前記駐車場の管理を行う駐車場管理システム。
【請求項２】
管理コンピュータをさらに含み、
前記管理コンピュータは、前記リーダと前記ＲＦＩＤタグとの交信結果に応じて、前記駐車スペースが空いているか否かを判断する判断手段を含む、請求項１に記載の駐車場管理システム。
【請求項３】
前記駐車スペースに空きスペースがあるか否かを表示する表示手段を含む、請求項１または２に記載の駐車場管理システム。
【請求項４】
前記ＲＦＩＤタグは太陽電池で駆動される、請求項１から３のいずれかに記載の駐車場管理システム。
【請求項５】
前記ＲＦＩＤタグはＬＥＤ付のケースに収容される、請求項１から４のいずれかに記載の駐車場管理システム。
【請求項６】
リーダと交信可能なＲＦＩＤタグであって、
前記ＲＦＩＤタグは、駐車場の駐車スペースに設けられる、ＲＦＩＤタグ。
【請求項７】
ＲＦＩＤタグと交信可能なリーダであって、
前記ＲＦＩＤタグは駐車場の駐車スペースに設けられ、
前記ＲＦＩＤタグとの交信結果に基づいて、前記駐車スペースが空いているか否かを判断する、リーダ。
【発明の詳細な説明】
【技術分野】
【０００１】
この発明は、駐車場を管理する駐車場管理システム、ＲＦＩＤタグ、およびリーダに関し、特に、コストがかからず、誤検出の生じない駐車場管理システム、ＲＦＩＤタグおよびリーダに関する。
【背景技術】
【０００２】
従来の駐車場管理システムが、たとえば、特開２００７−２５８８９号公報（特許文献１）や特開２００４−２０６１９９号公報（特許文献２）に記載されている。
【０００３】
特許文献１によれば、入場ゲートにおいてカメラで車輌を撮影し、得られた画像から車種を判定して駐車位置を決定し、駐車位置が記録されたＲＦタグからなる駐車券を発行して所定の駐車スペースへガイドしていた。
【０００４】
特許文献２によれば、車輌キーに無線タグを取付け、この無線タグを用いて車輌の駐車スペースを特定している。
【０００５】
また、上記以外に、超音波センサを駐車スペースに設けたシステム等も考えられている。
【特許文献１】特開２００７−２５８８９号公報（要約）
【特許文献２】特開２００４−２０６１９９号公報（要約）
【発明の開示】
【発明が解決しようとする課題】
【０００６】
従来の駐車場管理システムは、上記のように構成されていた。特許文献１や特許文献２に記載された方法では、カメラを取付けたり、予め車輌のキーに無線タグを取付ける必要があり、設備費が高くつくという問題があった。
【０００７】
また、超音波を用いた方法では、屋外の駐車場に適用した場合に、落ち葉等によって誤検出する場合があったり、配線用の工事費がかかるという問題があった。
【０００８】
この発明は、上記のような問題点に鑑みてなされたもので、コストがかからず、誤検出の生じない駐車場管理システム、ＲＦＩＤタグ、およびリーダを提供することを目的とする。
【課題を解決するための手段】
【０００９】
この発明に係る、複数の駐車スペースを有する駐車場を管理する駐車場管理システムは、駐車スペースに設けられたＲＦＩＤタグと、ＲＦＩＤタグと交信するリーダと、リーダとＲＦＩＤタグとの交信結果に基づいて駐車場の管理を行う。
【００１０】
好ましくは、管理コンピュータをさらに含み、管理コンピュータは、リーダとＲＦＩＤタグとの交信結果に応じて駐車スペースが空いているか否かを判断する判断手段を含む。
【００１１】
さらに好ましくは、複数の駐車スペースに空きスペースがあるか否かを表示する表示手段を含む。なお、ＲＦＩＤタグは太陽電池で駆動されてもよいし、ＬＥＤ付のケースに収容されてもよい。
【００１２】
この発明の他の局面においては、リーダと交信可能なＲＦＩＤタグは、駐車場の駐車スペースに設けられる。
【００１３】
この発明のさらに他の局面においては、リーダはＲＦＩＤタグと交信可能である。ＲＦＩＤタグは駐車場の駐車スペースに設けられ、ＲＦＩＤタグとの交信結果に基づいて、駐車スペースが空いているか否かを判断する。
【発明の効果】
【００１４】
この発明においては、駐車スペースにはＲＦＩＤタグが設けられ、駐車場内に設けられたリーダとＲＦＩＤタグとの交信結果に基づいて駐車場の管理を行うため、駐車場の空きスペースが簡単にわかる。
【００１５】
その結果、コストがかからず、誤検出の生じない駐車場管理システムを提供できる。
【発明を実施するための最良の形態】
【００１６】
以下、図面を参照して、この発明の一実施形態について説明する。図１は、この発明に係る駐車場管理システムの概念を示す模式図である。図１を参照して、この発明に係る駐車場の管理は、複数の駐車スペースのそれぞれに設けられたＲＦＩＤタグ１０Ａ〜１０Ｃと、ＲＦＩＤタグ１０Ａ〜１０Ｃと交信可能なリーダ２０とで行われる。ここでリーダ２０は、たとえば、照明灯用の柱２１に取付けられている。発明者らは、ＲＦＩＤタグ１０Ａ〜１０Ｃの受信部が駐車スペースの表面に出るように駐車スペースに設けておき、それを所定の高さに位置するリーダ２０で読取る時、ＲＦＩＤタグ１０Ａ〜１０Ｃの上に自動車等が停止していると、ＲＦＩＤタグ１０Ａ〜１０Ｃからの返送信号を受けるリーダ２０のレベルが低いが、ＲＦＩＤタグ１０Ａ〜１０Ｃの上に自動車等が停止していなければ、ＲＦＩＤタグ１０Ａ〜１０Ｃからリーダ２０が受ける信号のレベルが高いことを見出した。そこで、この現象を利用して駐車場管理システムを構築した。
【００１７】
図２は、発明者らが実際に実験を行ったＲＦＩＤタグ１０Ａ〜１０Ｃとリーダ２０との取付位置関係の一例を示す図であり図３は平面方向の位置関係を示す図である。図２および図３を参照して、リーダ２０は矩形の駐車場の長手方向の一辺の中央部において、高さが約３３００ｍｍの位置に設けられている。図３に示す番号は駐車スペースを特定する番号であり、それぞれの中央部にＲＦＩＤタグ１０Ａ〜１０Ｃ等が設けられている。なお、図２に示したＲＦＩＤタグの距離は、駐車スペース番号１７に設けられたＲＦＩＤタグとの距離である。
【００１８】
このような状態でリーダ２０を用いてＲＦＩＤタグとの交信レベルで駐車スペースが空いているか否かの判定が可能であった。
【００１９】
図４はＲＦＩＤタグを収容するケースを示す図である。図４（Ａ）は平面図であり、図４（Ｂ）は、図４（Ａ）において矢印Ｂ-Ｂで示す部分の断面図である。図４に示すように、ケース１２は径１００ｍｍの底の浅い椀を逆向けにした形状である。ケース１２は、内部にＲＦＩＤタグを収容するための空間を有している。この空間は段付きの円筒状で、高さは約１０ｍｍである。ケース１２の下部の外周面近傍にはドーナツ状の平面が設けられ、この平面が駐車スペースの平面に接するように駐車スペースの中央部に取付けられる。
【００２０】
なお、このケース１２にはＬＥＤ（Light Emitting Diode）や反射体を設けるのが好ましい。こうすれば、運転者や駐車場の管理者等が目視によっても駐車スペースが空いているか否かの判断が可能になる。
【００２１】
図５はＲＦＩＤタグを収容するケースの他の例１５を示す図である。図５（Ａ）は平面図であり、図５（Ｂ）は、ケース１５を分解した側面図であり、図５（Ｃ）はケース１５を駐車場へ設置した状態を示す図である。図５に示すように、ケース１５は上蓋１５ａと、円筒部１５ｂと、底蓋１５ｃとを含み、円筒部１５ｂを上蓋１５ａと底蓋１５ｃとで収納可能な構成である。ＲＦＩＤタグはこのケース１５の内部に収納される。なお、ケース１５の寸法としては、径が約４０ｍｍ、高さが約５０ｍｍ程度が好ましい。
【００２２】
図５（Ｃ）に示すように、ケース１５は、その上端部が駐車場の平面と同一になるように埋め込まれる。また、ケース１５の上端部にもＬＥＤ（Light Emitting Diode）や反射体を設けるのが好ましい。
【００２３】
図６は、駐車場管理システムの全体構成の一例を示すブロック図である。図６を参照して、駐車場管理システムは、システム全体を管理する管理コンピュータ３０と、管理コンピュータ３０に対して、駐車スペースの有無に関連するデータを通知するリーダ２０と、各駐車スペースに設けられたＲＦＩＤタグ１０ａ，１０ｂ，１０ｃ，…と、駐車場利用者に対して空きスペースの有無等を表示する、表示手段として作動する表示部２３とを含む。この表示部２３は、図３に示すように、駐車場への出入り口部に設けられる。
【００２４】
駐車スペースの数としては任意の数を設けることができる。この場合、リーダ２０の性能等によって、リーダ２０の数や配置を適宜変更する。
【００２５】
管理コンピュータ３０は、管理コンピュータ３０全体を制御するＣＰＵ３１と、ＣＰＵ３１に接続された、外部機器との接続を行うインターフェイス３２と、キーボードやマウスのような入出力部３３と、印刷を行うプリンタ３４と、各種データ等を格納するハードディスク３５とを含む。このインターフェイス３２を介して管理コンピュータ３０は、表示部２３やリーダ２０と接続されている。
【００２６】
図７は、リーダ２０の動作を示すフローチャートである。図７を参照して、リーダ２０はＲＦＩＤタグに対して常時問合せ信号を送信している（ステップＳ１１、以下ステップを省略する）。そして、ＲＦＩＤタグからの返信信号のレベルを検出し（Ｓ１２）、その値を管理コンピュータ３０に送信する（Ｓ１３）。
【００２７】
図８は、管理コンピュータ３０の動作を示すフローチャートである。図８を参照して、管理コンピュータ３０は、リーダ２０の検出したＲＦＩＤタグ１０ａ〜１０ｃとの交信レベルを受信するごとにその値をハードディスク３５に格納された閾値と比較して、レベルを判定する（Ｓ２１，Ｓ２２）。その結果に応じて表示部２３への表示を更新する（Ｓ２３）。すなわち、あるＲＦＩＤタグからの受信レベルが高い状態から低いレベルに変わったときは、そのＲＦＩＤタグが設けられた駐車スペースに車が駐車されたことを意味するから、表示部２３への表示を駐車スペースなしという表示に変更する。一方、低いレベルから高いレベルへ変わったときは、その駐車スペースから車が出て行ったことを意味するため、その駐車スペースに対して「空」表示を行う。
【００２８】
なお、このレベル判定は、ＲＦＩＤタグごとに、たとえば、３０秒ごとに行うのが好ましい。
【００２９】
また、ＲＦＩＤタグは、電池を内蔵するアクティブ型であってもよいし、内蔵しないパッシブ型であってもよい。アクティブ型の場合はコイン電池を内蔵しているが、別途太陽電池を設け、この太陽電池から駆動電力を供給してもよい。
【００３０】
なお、上記実施の形態においては、駐車スペースの中央部にＲＦＩＤタグを配置する場合について説明したが、これに限らず、リーダとの位置関係によってＲＦＩＤタグの位置を変更してもよい。
【００３１】
また、上記実施の形態においては、表示部を駐車場の出入口に設けた場合について説明したが、駐車スペースが複数のブロックに分かれている場合は、各ブロックの入口に設けてもよい。
【００３２】
上記実施の形態においては、管理コンピュータを用いてレベル判定を行ったが、これに限らず、リーダにレベル判定の機能を持たせてもよい。
【００３３】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００３４】
【図１】この発明の原理を説明するための模式図である。
【図２】この発明の一実施の形態に係る駐車場の高さ方向の機器の位置関係を示す図である。
【図３】この発明の一実施の形態に係る駐車場の平面方向の機器の位置関係を示す図である。
【図４】ＲＦＩＤタグを収容するケースを示す図である。
【図５】ＲＦＩＤタグを収容するケースの他の例を示す図である。
【図６】この発明の一実施の形態に係る駐車場管理システムを示すブロック図である。
【図７】リーダの動作を示すフローチャートである。
【図８】管理コンピュータの動作を示すフローチャートである。
【符号の説明】
【００３５】
１０  ＲＦＩＤタグ、１２，１４  ケース、２０  リーダ、２３  表示部、３０  管理コンピュータ、３１  ＣＰＵ、３２  インターフェイス、３３  入出力装置、３４  プリンタ、３５  ハードディスク。
【図１】
2008276516.tif 000003
【図２】
2008276516.tif 000004
【図３】
2008276516.tif 000005
【図４】
2008276516.tif 000006
【図５】
2008276516.tif 000007
【図６】
2008276516.tif 000008
【図７】
2008276516.tif 000009
【図８】
2008276516.tif 000010